(57)【要約】 【課題】従来の詰替型転写具において、分割した筐体を詰替作業完了後に閉状態とする際に、筐体の軸部を他方の軸部に対応させる必要があり、手間がかかる点を解消する。【解決手段】（詰替型）転写具１は、筐体２が、該筐体２に装着した際の転写テープの幅方向に一方（蓋部２Ａ）と他方（本体部２Ｂ）とに分割され、蓋部２Ａはその内面が略平坦状とされると共に外形内縁部に本体部２Ｂ側に向けて突出したガイドレール２Ａａが形成され、本体部２Ｂは外形内縁部に蓋部２Ａ側に向けて突出すると共にガイドレール２Ａａに案内される案内部２Ｂａが形成されている。【効果】蓋部の内面が閉作業時に全く見えなくても簡単かつ確実に閉状態とすることができる。【選択図】  図１
2010089357.tif 000002
【特許請求の範囲】
【請求項１】
使用済みの、長尺帯状の基材に塗膜が塗布された転写テープを巻装した送出コアと、この送出コアから送り出される転写テープのうちの基材を巻き取る巻取コアとを詰め替えるべく、一方を他方に対して開閉自在な筐体を有した詰替型転写具において、前記筐体が、該筐体に装着した際の転写テープの幅方向に一方と他方とに分割され、一方の筐体はその内面が略平坦状とされると共に外形内縁部に他方の筐体側に向けて突出したガイドレールが形成され、他方の筐体は外形内縁部に一方の筐体側に向けて突出すると共に前記ガイドレールに案内される案内部が形成されたことを特徴とする詰替型転写具。
【請求項２】
一方の筐体のガイドレールに係合凹部が形成され、他方の筐体の案内部に係合凸部が形成されたことを特徴とする請求項１記載の詰替型転写具。
【発明の詳細な説明】
【技術分野】
【０００１】
本発明は、使用済みの、長尺帯状の基材に塗膜が塗布された転写テープを巻装した送出コアと、送出コアから送り出される転写テープのうちの基材を巻き取る巻取コアとを新たなものに詰め替えるに際して開状態とした一方の筐体と他方の筐体を、簡単かつ確実に閉状態とすることができる詰替型転写具に関する。
【背景技術】
【０００２】
長尺帯状の基材に塗膜が塗布された転写テープを巻装した送出コアと、この送出コアから送り出された転写テープのうち被転写体に塗膜が転写された残りの基材を巻き取る巻取コアと、を備え、前記巻取コアに基材が全て巻き取られて使用が完了した際に、それまで使用していた送出コア及び巻取コアを例えば２分割した筐体から取り出して、新たな送出コアと巻取コアを詰め替えた後に、再度分割した筐体を一体とすべく閉める作業を伴ういわゆる詰替型の転写具が知られている。
【０００３】
この種（詰替型）の転写具において、筐体を閉状態とする技術、すなわち本願に関連する文献として、以下の特許文献１を関知した。
【特許文献１】特開２００３−５４１９２号公報
【０００４】
特許文献１は、筐体が２分割され、該２分割された両方の内面に、互いに嵌合する軸部が送出コアと巻取コアのそれぞれに対応して形成（片側の筐体で２本）されていると共に、２分割された筐体を開閉するための操作部が、一体とした筐体の上下位置（送出コアと巻取コアの配置方向と直行する方向の両端位置）に設けられている。
【発明の開示】
【発明が解決しようとする課題】
【０００５】
ところで、送出コアと巻取コアの軸端面方向から筐体の開閉を行う特許文献１のような構成では、例えば机などの上に該軸端面が平行になるように（内部を上方に露出させて）配置して、一方の筐体を（内部を下方に露出させて）上方から他方の筐体に向けて移動させることで閉じることが多い。
【０００６】
このとき、特許文献１の構成では、一方を他方に対して開けた筐体を閉じる際、一方の筐体の上記２本の軸部を他方の２本の軸部に対応させる必要があり、手間であった。また、一方の筐体の軸部が該筐体によりユーザーから隠れてしまうから、上記手間はいっそう深刻である。
【０００７】
さらに、上記のように軸部を対応させることと、操作部により閉状態（例えばロックする）とすることとが別、つまり軸部を対応させて一方を他方の筐体に移動させ、その後、一方と他方を一体とすべく操作部を操作するという作業を要するので、さらなる手間を要することとなる。
【０００８】
本発明が解決しようとする問題点は、特許文献１では一方の筐体の上記２本の軸部を他方の２本の軸部に対応させる必要があると共に、操作部により閉状態をロックする必要があり、非常に手間がかかる点、である。
【課題を解決するための手段】
【０００９】
上記問題を解決するために本発明の詰替型転写具は、筐体が、筐体に装着した際の転写テープの幅方向に一方と他方とに分割され、一方の筐体はその内面が略平坦状とされると共に外形内縁部に他方の筐体側に向けて突出したガイドレールが形成され、他方の筐体は外形内縁部に一方の筐体側に向けて突出すると共にガイドレールに案内される案内部が形成されることとした。
【発明の効果】
【００１０】
本発明に係る詰替型転写具は、一方の筐体の内面は平坦状、すなわち他方の筐体に対して対応させる構成を有していないので、筐体を閉状態とする際に特許文献１のように軸部を対応させる手間が省かれる。
【００１１】
また、本発明に係る詰替型転写具は、一方の筐体の外形内縁部に他方の筐体側に向けて突出したガイドレールを形成し、他方の筐体の外形内縁部に一方の筐体側に向けて突出した案内部を形成している。つまり、ガイドレールと案内部は、一方と他方の筐体がどういう位置関係にあっても、隠れることなく必ず目につくよう構成しているから、より簡単に閉状態とすることができる。
【発明を実施するための最良の形態】
【００１２】
本発明は、図１〜図４に示す形態により実施可能である。図１〜図３は本発明の詰替型転写具における筐体のみ示す。図４はガイドレールを部分的に示す。なお、図１〜図４においては、本発明の詰替型転写具が、筐体の構造を特徴としているので、転写具自体の主要な構成は図示を省略している（ゆえに説明中の参照符号も付していない）。
【００１３】
転写具１は、筐体２が、該筐体２に装着した際の転写テープの幅方向に２分割され、以下、一方を蓋部２Ａと、他方を本体部２Ｂとし、本例においては、筐体２は、蓋部２Ａが、本体部２Ｂに対して、開閉させるべく移動するものとして説明する。
【００１４】
蓋部２Ａは、本体部２Ｂと対向する内面が略平坦状とされていると共に、外形を形成する縁部壁面の内側（外形内縁部）に本体部２Ｂに向けて突出したガイドレール２Ａａが形成されている。
【００１５】
本例ではガイドレール２Ａａは、筐体２に装着される送出コアと巻取コアの配置方向と直行する方向の両端で、該送出コアと巻取コアの配置箇所の間に設けている（２箇所）。ガイドレール２Ａａは、外形内縁部から内側に突出した２本の平行な凸部により構成されている。
【００１６】
ガイドレール２Ａａは、上記のとおり、蓋部２Ａの縁部壁面の、本体部２Ｂと当接する端縁部から突出した状態とされており、該ガイドレール２Ａａの前記突出端部には、本体部２Ｂ側へ内向きに傾斜したテーパ部２Ａｂが形成されている。
【００１７】
さらに、ガイドレール２Ａａ内には、係合凹部２Ａｃが形成されている。この係合凹部２Ａｃは、本例では、ガイドレール２Ａａ内、すなわち上記２本の平行な凸部間における上記縁部壁面に形成している。
【００１８】
本体部２Ｂは、外形を形成する縁部壁面の内側（外形内縁部）に蓋部２Ａに向けて突出した案内部２Ｂａが形成されている。案内部２Ｂａは、ガイドレール２Ａａに対応する箇所に形成され、該ガイドレール２Ａａの２本の凸部間により案内される。
【００１９】
また、本例では、案内部２Ｂａは、上記のとおり、本体部２Ｂの縁部壁面の、蓋部２Ａと当接する端縁部から突出した状態とされており、該案内部２Ｂａの前記突出端部には、蓋部２Ａ側へ内向きに傾斜したテーパ部２Ｂｂが形成されている。
【００２０】
さらに本体部２Ｂは、長尺帯状の基材に塗膜が塗布された転写テープを巻装した送出コアと、この送出コアから送り出される転写テープのうちの基材を巻き取る巻取コアを有している又は詰替時に装着される。
【００２１】
また、本体部２Ｂは、上記送出コアを回転させる送出ギヤと、巻取コアを回転させる巻取ギヤと、これら送出ギヤと巻取ギヤとに噛合した中間ギヤＰと、送出コア及び巻取コアを装着した状態において、該送出コアから巻取コアに至る転写テープの搬送経路途中に、先端が筐体２から突出するように設けられた転写部と、を有している。
【００２２】
さらに、本体部２Ｂは、上記転写部、送出コア及び送出ギヤ、巻取コア及び巻取ギヤ、を枢支する、枢支軸Ｓ１，Ｓ２，Ｓ３が設けられている。一方、蓋部２Ａには、蓋部２Ａを本体部２Ｂに対して閉じる際にこれら枢支軸Ｓ１〜Ｓ３に対応して例えば嵌合したり挿入したりする構成を有していない、この意味で蓋部２Ａの内面は平坦状である。
【００２３】
上記構成の転写具１は、送出コア及び巻取コアの詰替作業が完了し、本体部２Ｂに対して蓋部２Ａを移動させて筐体２として一体とするには、次のようにして行う。例えば本体部２Ｂが図２に示すように机などの上に載置されているとする。
【００２４】
このとき、蓋部２Ａは、内面がユーザーから（図示においても）全く見えないが、図２に示すように、ガイドレール２Ａａは見える。一方、本体部２Ｂにおいては、案内部２Ｂａが完全に見える。
【００２５】
したがって、蓋部２Ａにおいては、目視可能なガイドレール２Ａａを頼りに、これと対応する案内部２Ｂａに向けて移動させるだけで、閉状態とすることができる。そして、案内部２Ｂａにはテーパ部２Ｂｂが形成されているから、ガイドレール２Ａａ内に円滑に案内されることとなる。
【００２６】
また、案内部２Ｂａはガイドレール２Ａａにより直線的に、つまりぶれることなく案内されるから、本例で２箇所に設けたガイドレール２Ａａのうち１箇所のガイドレール２Ａａが目視できれば、この目視可能な１箇所により、もう１箇所のガイドレール２Ａａと案内部２Ｂａとが対応することとなり、よって手間がかかることなく閉状態とすることができる。
【００２７】
さらに、蓋部２Ａと本体部２Ｂとが一体となる際、つまり筐体２が完全に閉じられる際には、蓋部２Ａにテーパ部２Ａｂが形成されていることにより、本体部２Ｂの外形内縁部にひっかかったりすることなく円滑にガイドレール２Ａａを嵌入することができる。
【００２８】
そして、蓋部２Ａと本体部２Ｂとが一体とされると、ガイドレール２Ａａにおける係合凹部２Ａｃと、案内部２Ｂａにおけるテーパ部２Ｂｂとが係合するから、該蓋部２Ａと本体部２Ｂの両者は容易に分離することがなく、確実に閉状態とすることができる。
【００２９】
したがって、閉状態とする作業全体に亘って何ら手間がかかることがないと共に、蓋部２Ａを本体部２Ｂに対して移動させる際に対応箇所を探す作業と、閉状態とする作業を一度に行うことができる。
【図面の簡単な説明】
【００３０】
【図１】本発明の詰替型転写具の筐体のうち蓋部の内面を示すようにした斜視図である。
【図２】本発明の詰替型転写具の筐体のうち本体部の内面を示すようにした斜視図である。
【図３】本発明の詰替型転写具の筐体の蓋部と本体部の内面を示すようにした平面図である。
【図４】本発明の詰替型転写具の筐体の蓋部を要部を拡大した図３のＡ−Ａ線断面図である。
【符号の説明】
【００３１】
１  （詰替型）転写具
２  筐体
２Ａ  蓋部
２Ａａ  ガイドレール
２Ａｂ  テーパ部
２Ａｃ  係合凹部
２Ｂ  本体部
２Ｂａ  案内部
２Ｂｂ  テーパ部
【図１】
2010089357.tif 000003
【図２】
2010089357.tif 000004
【図３】
2010089357.tif 000005
【図４】
2010089357.tif 000006